(57)【特許請求の範囲】
【請求項１】
クランプであって、
環状に巻回された金属バンドの内側部品（１）であって、外周端と内周端を有し、連続的な内周面および外周面を形成するように外周端を内周端に重ね合わせて形成された内側部品（１）と、
内側部品（１）の外周面の一部の周囲に形成された金属バンドの外側部品（２）であって、内側部品（１）の外周面に固定された固定端と、内側部品（１）の外周端に隣接して配置された自由端とを有する外側部品（２）と、
内側部品（１）の外周端および外側部品（２）の自由端に設けられた相補的な固定手段であって、内側部品（１）の外周端に一体に形成され、外周端から半径方向外側に突出した耳部（２ａ）と、外側部品（２）の自由端に一体に形成されたフック部（１ｃ）とを有し、フック部（１ｃ）および耳部（２ａ）が互いに係合して、クランプを締め付けたとき、内側部品（１）の連続的な内周面が維持されるように構成された相補的な固定手段と、
外側部品（２）の自由端にあるフック部（１ｃ）から離間した位置において、半径方向外側に突出するように金属バンドの外側部品（２）に形成された、弾性力を確保するための波形部（２ｂ）と、を備え、
波形部（２ｂ）は、内側部品（１）の上方に配置されたことを特徴とするクランプ。
【発明の詳細な説明】
【０００１】
【産業上の利用分野】
本発明は、バンドクランプ部品の構造に関する。
【０００２】
【従来の技術】
特許ＥＰ−Ａ−３１９２で、重なる部分を有するように曲げ加工された金属バンドで構成されたクランプ部品が開示されている。上記クランプ部品の一端部には、その外周面上に半径方向に突出した耳部が設けられている。また、上記クランプの他端部には、上記耳部の背後に係合し、このクランプを締め付けて保持するフックが形成されている。
【０００３】
上記従来のクランプの主要な利点は、これを配置して締め付けても、原則としてクランプを構成するバンドの各部で永久的な変形（すなわち塑性変形）が防止されることであることが知られている。
【０００４】
この種のクランプは、特に温度変化の影響により、クランプされる対象物の寸法が変化しても、満足のいく締め付け状態を維持しうる弾性を保持するように、種々の方法で改良が加えられている。この点については、特許ＥＰ−Ａ−４６９９８９，４９１  ６０９、もしくは、４９１  ６１０で言及されている。その他の改良は、締め付けられる対象物（特に、剛性のカップリングに装着されるフレキシブルホースのパイプ）に対する上記クランプの当たりを改善することを目的としている。これに関しては、特許ＥＰ−Ａ−２４３  ２２４で言及されている。
【０００５】
【発明が解決しようとする課題】
しかしながら、ある困難な状況では、上述した特許に記載されているクランプの品質は満足できるものではないことが認識されている。正確に述べると、このクランプでは、クランプされる対象物に対するクランプの当たりに不連続の部分がないことが必要であり、特に耳部の反対側に存在する不連続部は完全に無くさなければならない。実際に、後者のものは、背中合わせに配置されたバンドの折曲部を備えており、上記折曲部において丸く成形されたバンドに対する連結部によって、特に折曲部の反対面が互いに密接していない場合には、クランプ内周面に小さな不連続部が生じる。しかし、耳部の向こうにバンド延長部が存在するので、フックの下で既に得られていた連続的な当たり（特に、特許ＥＰ−Ａ−３１９２に記載されている）は、当然維持されなければならない。
【０００６】
そこで、本発明は、上述した問題の解決策を提供することを目的としており、そのために、上述した形式の新規な密着クランプ構造を提供している。
【０００７】
【課題を解決するための手段】
本発明によれば、金属バンドからなるクランプは、２つの部分で構成され、内側のバンド部分は、その外側端部と内側端部を部分的に重ね合わして１つの完全な円周以上に延長され、外側のバンド部分は円周の一部に沿って延設してある。上記外側のバンド部分は、その一端部で、例えばリベット止め、溶接等の適当な手段で内側のバンド部分の外面に固定されている。また、外側のバンド部分の他端部にはフックが形成され、内側部分の外側端部末端に耳部が設けてある。
【０００８】
これらの構成により、耳部の下に存在していた当たりの不連続部分だけでなく、弾性の蓄積部のような付属要素により生じるクランプ内周の不連続部分も無くなる。
【０００９】
【実施例】
以下、図面を参照して本発明の実施例について説明する。図面には、金属バンドからなる２つの部分１と２で構成されたクランプ部品が示されている。これらは同一バンドで構成することが好ましいが、必ずしもそうである必要はない。したがって、上記２つのバンド部分１，２は、同一幅を有し、それらを構成する材料は同一の物理的性質、特に同一の弾性を有している。しかしながら、これらの性質を両方とも備えている必要はない。
【００１０】
バンド部分１は内側部分を指しており、１つの完全な円周以上に延長され、内側（１ａ）と外側（１ｂ）の末端が部分的に重なり合っている。特許ＥＰ−Ａ−２４３  ２２４に記載されているような適当な方法により、バンドの部分１は、その両端重なり領域において、内面の完全な連続性が保証されている。
【００１１】
外側１ｂの末端では、バンド部分１に、背中合わせに配置された２つの折曲部１ｄと１ｅで構成された耳部１ｃが設けてある。外側の折曲部１ｅには小さな延長部１ｆを設けるのが好ましい。その長さは、同日に「バンドクランプ」の名称で出願した本出願人の特許出願に記載されている配置に従って決定することができる。
【００１２】
また、耳部１ｃを強化したり、耳部側に締め付け用の工具を容易に保持できるようにするために、公知の構成を設けてもよい。これらの構成は、図面上表されているが、本発明の構成上必要でないものであるから、その説明は省略する。
【００１３】
上記バンド部分２は、好適に、その末端部にフック２ａが形成されている。また、バンド部分２の他方の末端は、適当な手段でバンド部分１の外面に固定されている。
【００１４】
図示する実施例では、バンド部分１に設けた円筒状の打ち出し部１ｇの端部が、リベット止め、すなわちカシメ止めで、バンド部分２に固定されている。図示するように、バンド部分１の固定部の向こうにバンド部分２の末端が突出しないように、補足的な構成を設けてもよい。
【００１５】
バンド部分２は、締め付けられる対象物の径が変化しても十分な締め付け効果が維持できるように、弾性を保持する部分を構成する少なくとも１つの波形部２ｂを備えている。
【００１６】
上述したクランプの構造は、上記特許、特にＥＰ−Ａ−３１９２に記載されている条件下でもクランプが締め付けできるように、バンド部分１と２が同一の曲率を有するように形成されていることが強調されなければならない。
【００１７】
クランプの締め付け後は勿論のこと、クランプの締め付け前であっても、フック２ａの下に位置する空間と、折曲部１ｄと１ｅの連結部から外側端部１ｂまでの領域は、一方のバンド部分１の内側１ａの端部の反対側に位置している。同一のものが波形部２ｂの下に位置する空間に設けられている。締め付け後、締め付けられた対象物の上には、クランプ内周面の完全な連続性、及びこれによる当たりの連続性が、その目的のために外側１ｂの端部と内側１ｂの端部の末端に設けた手段の協働によって得られる。
【００１８】
【発明の効果】
以上の説明から明らかなように、本発明のバンドクランプ部品の構造では、耳部の下に存在する当たりの不連続は除去される。また、締め付け後、締め付けられた対象物の上には、クランプ内周面の完全な連続性、及びこれによる当たりの連続性が得られる。
【図面の簡単な説明】
【図１】  本発明に係るバンドクランプ部分の締め付け前の一部切断側面図である。
【図２】  バンドクランプ部品締め付け後の、図１と同様の図面である。
【図３】  図１のIII−III線断面図である。
【符号の説明】
１…内側のバンド部分、１ａ…内側、１ｂ…外側、１ｃ…耳部、２…外側のバンド部分、２ａ…フック、２ｂ…波形部。
【図１】
0003650631.tif 000002
【図２】
0003650631.tif 000003
【図３】
0003650631.tif 000004